(57)【要約】      （修正有）【課題】小型ＬＥＤ照明器具を多数設置したときのメンテナンス上の課題を解決し、これらを使用した経済的で効率的な照明装置を提供する。【解決手段】照明設計で配置決定された多数の小型ＬＥＤ照明器具１２を連続したルートでチェーン移送することにより、全ての該照明器具１２の設置・点検・清掃・交換等の作業が設置場所と異なる好ましい場所で容易に行える照明効率の高い照明器具移送可能型照明装置。【選択図】図１
2012252903.tif 000002
【特許請求の範囲】
【請求項１】
照明器具が照射方向を設定して装着され、チェーン装着部を備えた複数の器具装着部と;
該器具装着部を保持するとともに該器具装着部移送時には誘導部ともなる保持誘導部と；
前記チェーン装着部に連続して架設されたチェーンを移送する移送装置と；
前記チェーンで移送される送電線を経由する第一送電経路、固定送電材と前記チェーンで移送される集電材とを経由する第二送電経路、又は、前記固定送電材と前記集電材と前記送電線とを経由する第三送電経路により、前記照明器具に電力を供給する電源部とで;
構成され、照明設計で配置決定された全ての前記器具装着部を連続した移送ルートでチェーン移送後に前記保持誘導部で保持することにより、照明効率が高く前記照明器具への作業が設置場所と異なる場所で行えることを特徴とする照明器具移送可能型照明装置。
【請求項２】
前記移送装置の駆動装置を分散して複数設置し同時駆動することにより、円滑なチェーン移送と、該移送装置、前記チェーン、及び前記保持誘導部の標準化によるコストダウンとを図ることを特徴とする請求項１記載の照明器具移送可能型照明装置。
【請求項３】
回動アームと第一誘導部と第二誘導部とで構成されるチェーンガイド機構を備え；
第一誘導部は、回動アームの外周部に前記チェーンを円弧状に誘導する様に設けられ；
第二誘導部は、回動アームが回動中に第一誘導部と共同して前記チェーンを円弧状に誘導する様に前記外周部に取り付け角度をずらして設けられ；
回動アームは、静止位置では第一誘導部で前記チェーンを誘導し、移送される前記チェーン装着部と第一誘導部とが当接すれば第一誘導部と第二誘導部との両誘導部で該チェーンを誘導しながら回転し、回転により当接状態が解除されれば両誘導部で該チェーンを誘導しながら静止位置に復帰する動作を繰り返して；
前記チェーンを前記チェーン装着部の背面側に誘導することを特徴とする請求項１又は２記載の照明器具移送可能型照明装置。
【請求項４】
前記チェーン装着部を、外リンクよりピンが突出しているピン突出チェーンの外リンク外幅のコ字状溝と該溝の内側面にピン突出部を装着する溝とを備えたピン突出チェーン装着部、又は、ホローピンチェーンの外幅のコ字状溝と該溝の側壁にホローピンに挿入するピンを装着する穴とを備えたホローピンチェーン装着部の何れかとすることにより、前記器具装着部をチェーンの任意の位置に着脱可能に装着することを特徴とする請求項１〜３のいずれかに記載の照明器具移送可能型照明装置。
【請求項５】
前記チェーンの外リンクの外面に、前記移送ルートの基準位置からの位置関係を示す表示を設け、該チェーンに対する該基準位置からの位置確認作業を容易・確実にしたことを特徴とする請求項１〜４のいずれかに記載の照明器具移送可能型照明装置。
【請求項６】
前記保持誘導部の開口部で保持誘導され器具装着部とともに移送される防塵用部材による防塵構造を備え、保持誘導面の塵埃・油煙の付着・堆積物による移送トラブルを防止することを特徴とする請求項１〜５のいずれかに記載の照明器具移送可能型照明装置。
【発明の詳細な説明】
【技術分野】
【０００１】
本発明は、ＬＥＤ電球又はＬＥＤランプモジュールを備えた多数の小型照明器具を効率良く配置するとともに、前記照明器具への作業時には全ての前記照明器具を連続したルートでチェーン移送することにより、設置・点検・清掃・交換等の作業を設置場所と異なる好ましい作業場所で容易に行える照明効率の高い照明器具移送可能型照明装置に関する。
【背景技術】
【０００２】
照明器具の設置場所や設置高さのためメンテナンス困難で対象面積が広い場合の照明装置は、高効率・長寿命の中高Ｗのセラミックメタルハライドランプ（以下セラメタ）を装着した照明器具を効率良く配置し、初期設備費用とランニングコストを軽減する照明装置が一般的になって来ている。中でも、多数の設備や保管棚等が設置される大規模な工場・倉庫や車両が常時通行する長大トンネル等に対しては、メンテナンス時の対象区域の使用制限が大きな障害となるので、メンテナンスの間隔・必要時間は重要な課題である。これに対しては、メンテナンス間隔の延長対策としてセラメタの平均寿命が２４０００時間に改善され、作業時間の短縮対策として各種の照明器具昇降装置が採用されている。しかし、セラメタの更なる長寿命化・効率化は、技術的・経済的に困難になりつつあり、照明器具昇降装置以外の効果的な作業時間短縮対策は出現していない。
セラメタ以外の高効率・長寿命の光源としては、高効率・平均寿命４００００時間・点灯電源一体型の低ＷＬＥＤ電球等が白熱電球・蛍光灯の代替光源として市販されているが、高効率の利点があるにも拘らず前記の照明分野には以下の理由により使用されていない。
中高Ｗセラメタ利用の照明装置では、配光制御のための照明器具による２０％以上の効率低下と限定された配光パターンの照明器具を極力少なく分散配置することによる効率低下とが避けられない。これに対し低ＷＬＥＤ電球等を備えた多数の小型照明器具による照明装置では、照射方向を個別に最適方向に設定した多数の小型照明器具を効率よく分散配置することが出来るので、これらが大幅に改善される。しかし、７００Ｗクラス迄が量産化されているセラメタと比較すると照明設計で設定される照明器具の必要数・配置箇所が非常に多くなり、一年〜数年の間隔で行われるメンテナンス上の大きな障害となり、前記の照明分野では採用されていない。
【先行技術文献】
【特許文献】
【０００３】
【特許文献１】特開昭59-78403     移動式照明装置
【特許文献２】特開昭62-222509    移動式照明装置
【特許文献３】特開昭62-223903    移動式照明装置
【特許文献４】特許登録4632637    電動照明器具
【特許文献５】特許登録3559798    ローラチェン用トッププレート
【特許文献６】特開2003-206014    アタッチメント及びアタッチメント付チェーン
【発明の概要】
【発明が解決しようとする課題】
【０００４】
本発明は、ＬＥＤの効率・寿命・コストの急速な改善に鑑み、前記の照明分野に対して多数の小型ＬＥＤ照明器具を使用した照明効率の高い照明装置を提供するとともに、前記照明器具を多数設置した場合のメンテナンス上の課題を解決すべく創案されたものであって、効率よく配置された多数の前記照明器具を連続した移送ルートでチェーン移送することにより、全ての前記照明器具への設置・点検・清掃・交換等の作業を設置場所と異なる好ましい作業場所で容易に行える照明効率の高い照明器具移送可能型照明装置を提供することを目的とする。
具体的な課題としては、低ＷＬＥＤ電球又はＬＥＤランプモジュールを備えた多数の小型ＬＥＤ照明器具を効果的な照射角度で効率良く配置した照明効率の高い照明装置の採用に必要な以下の課題である。
ａ）種々の照明設計に対応可能な汎用性のある構成と構造。
ｂ）照明設計で決定された照射方向・所定位置となる様に照明器具を確実に移送・設置するとともに長期間を安全・確実に保持する経済的な構造。
ｃ）一年〜数年毎の点検・清掃・交換時に必要な照明器具の移送を確実に行える信頼性のある構造。
以上の基本的課題の他に以下の課題に対応可能であることが好ましい。
ｄ）長距離移送ルートとなる場合のチェーンの累積寸法誤差に対する照明器具の位置調整が容易な構造。
ｅ）設置後の照明器具の機種変更・増減・位置変更が容易な構造。
【課題を解決するための手段】
【０００５】
これらの課題を解決するために成した第一の発明は、
照明器具が照射方向を設定して装着され、チェーン装着部を備えた複数の器具装着部と;
該器具装着部を保持するとともに該器具装着部移送時には誘導部ともなる保持誘導部と；
前記チェーン装着部に連続して架設されたチェーンを移送する移送装置と；
前記チェーンで移送される送電線を経由する第一送電経路、固定送電材と前記チェーンで移送される集電材とを経由する第二送電経路、又は、前記固定送電材と前記集電材と前記送電線とを経由する第三送電経路により、前記照明器具に電力を供給する電源部とで;
構成され、照明設計で配置決定された全ての前記器具装着部を連続した移送ルートでチェーン移送後に前記保持誘導部で保持することにより、照明効率が高く前記照明器具への作業が設置場所と異なる場所で行えることを特徴とする照明器具移送可能型照明装置である。
本発明の照明装置を特許文献１に記載されている様な特殊用途でなく通常の照明用途の装置とするためには、安全性・確実性とともに経済性が要求される。特許文献１の移動式照明装置は、搬送案内に誘導された無端搬送帯に照明器具を装着し、搬送案内の両端又は一端に設けられた回転体を回転することにより無端搬送帯を駆動して、照明器具を照射される位置と点検作業場所との間を移動させる構成となっている。この無端搬送帯に照射方向が設定された照明器具を直接装着する構造は、連続した無端搬送帯の強度を大きくする必要があり、その結果無端搬送帯の外形寸法・重量が大きくなり搬送案内も大掛かりなものとなるので、少なくとも前記の照明分野では経済性が無い。また、照明器具の配置パターンと移動距離とが無端搬送帯の構造により事実上限定される等の欠点がある。
本発明の照明装置は、汎用性に加え安全性・確実性・経済性を備えた前記の基本的課題に対応した照明装置で、構成は以下の通りである。
ａ）前記照明器具は、ＬＥＤ電球又はＬＥＤランプモジュールを備えた小型ＬＥＤ照明器具で、前記器具装着部に照射方向を設定されて装着される。
器具装着部との結合部には回動部、回転部、又はボールジョイント部を設け、照射方向の設定を可変としてもよく、器具装着部と照明器具とを一体化してもよい。器具装着部と照明器具との間にメンテナンス用昇降装置を備えることも出来るが、高価な昇降装置が多数必要となり複雑な機構による故障の懸念もあるので、作業可能な高さに作業場所を設ける方式がトータルコストも削減され安全確実な装置となる。
なお、照明器具は前記小型ＬＥＤ照明器具だけでなく、他の光源の照明器具であってもよく、各種の表示・警報を行う表示・音声装置であってもよい。
ｂ）前記器具装着部は、前記照明器具を装着するための結合部、前記チェーンを装着するための前記チェーン装着部、及び、前記保持誘導部で移送・保持するための保持誘導部を転がるローラ又は摺動するスライダーで構成する。
器具装着部毎の照明器具の機種・個数・照射方向と器具装着部の配置とは照明設計で最適な照明効率となるように決定される。
器具装着部は、設置・点検・清掃・交換等の作業時には連続したルートで設置場所と作業場所との間を保持誘導部で誘導されながらチェーン移送される。連続したルートとは、照明設計で決定された器具装着部の設置場所と作業場所とを連結する連続した一連のルートで、起点と終点が異なるオープンルートでも起点と終点の無いエンドレスルートでもよいが、作業時に器具装着部等のチェーン移送される部材を前記保持誘導部より取り外す必要のないエンドレスルートが好ましい。また、照明設計で決定される照明器具の設置箇所を連結するルート内に作業場所を設けてもよく、ルートを延長して好ましい作業場所を含むルートとしてもよい。さらに、三次元屈曲チェーンを使用した三次元移送ルートとしてもよい。
作業場所は必ずしも常設する必要はなく、作業時に仮設作業台やタワー車等を設置可能な場所の上部に一時的な作業場所を必要数設けてもよい。また、作業時間短縮のため作業場所一箇所で複数の器具装着部への同時平行作業が可能としてもよい。
器具装着部にボールプランジャーやプランジャー機能付ボールローラ等（以下ボールプランジャー等）を装着して保持誘導部を軽く押圧し、器具装着部の振動や揺れを防止してもよい。
ｃ）前記保持誘導部は、前記器具装着部の保持姿勢が変化しない様に保持するとともにチェーン移送時には誘導部ともなる部材で、前記移送ルートが連続したルートとなる様に建物骨組み等の外部構造物に取り付けられる。保持誘導部の断面は、保持誘導面に塵埃・油煙等が侵入し難い形状とし、付着・堆積による長期設置後の移送トラブルを防止する。
保持誘導部は、器具装着部の移送に支障が無く姿勢保持に無関係な部分は必ずしも連続して設置する必要は無い。また、ボールプランジャー等を器具装着部設置箇所に装着して器具装着部を軽く押圧し、器具装着部の振動や揺れを防止してもよい。
ｄ）前記チェーンは、前記保持誘導部に沿って前記器具装着部のチェーン装着部に架設される。チェーンは、器具装着部を照明設計で決定された位置に移送可能であれば形式には拘らないが、通常はアタッチメントをチェーン装着部に取り付ける連続したアタッチメントチェーンとなり、設置・点検・清掃・交換等の作業時に前記移送装置により移送され器具装着部等を移送する。
ｅ）前記移送装置は、前記チェーンを移送する装置で、減速モーター等により駆動される駆動装置、アイドラースプロケット、チェーンテンショナー等で構成し、外部構造物等に取り付けられる。チェーンを前記保持誘導部と平行に移送し、保持誘導部に移送力による荷重を掛けないようにする。駆動装置の減速モーター等の動力部は作業時以外には不必要なので、作業終了後に取り外して可搬式駆動装置とすることも出来る。
ｆ）前記電源部は、前記照明器具に対する単相二線式、単相三線式、三相三線式、三相四線式等の送電方式の電源で、点灯制御回路等の電源制御部を備える。照明器具への送電経路は、前記チェーンで移送される送電線を経由する第一送電経路、固定送電材と前記チェーンで移送される集電材とを経由する第二送電経路、又は、前記固定送電材と前記集電材と前記送電線とを経由する第三送電経路とする。送電経路は、何れかの送電経路のみ設置してもよく、これらの送電経路を併設してもよい。また、いずれの送電経路も、点灯用電源の送電用だけでなく、制御信号送受信用又は点灯用電源送電・制御信号送受信兼用としてもよい。
点灯制御は、一括点灯制御の他に、送電線又は固定送電材毎の分割点灯制御、予め区分された区域毎の分割点灯制御、又は、前記チェーンで移送される端末制御部と電源部との間で送受信される制御信号による点灯制御を行う。点灯制御の外に前記表示・警報装置の制御も出来る。
また、電源部には、停電時にも照明する場合は非常用電源を含み、必要な場合は前記移送装置の電源を含む。
ｇ）前記送電線は、前記電源部の点灯用電源に点灯制御回路を経由して接続されており、器具装着部移送時には同じくチェーン移送される点灯用電源各相の送電線で、前記照明器具に分岐接続されている。
電源部との接続は、静止状態でのみ接続する固定式接続でも、チェーン移送される集電材と固定送電材とによる集電方式接続でもよい。固定式接続は、作業者による接続・接続取り外しでも電動等による接続・接続取り外しでもよい。集電方式接続は、接続部に集電機構が必要になるが、チェーン移送中も通電可能となる。電動等による接続・接続取り外しの固定式接続と集電方式接続とは、接続箇所が自由に設定出来る利点がある。
分岐接続配線は、器具装着部毎に行ってもよいが、送電線の接続箇所が多数になるので、器具装着部をグループ化した端子ボックス経由で接続し、接続箇所を削減する。
電源部との接続を分散した複数個所で行えば、送電線の必要送電容量を削減できる。また、送電線を本照明装置の共通送電線とせず接続箇所に対応して分割すれば、送電線単位の分割点灯制御、従って予め区分された区域毎の分割点灯制御が出来る。
ｈ）前記固定送電材は、前記電源部の点灯用電源に点灯制御回路を経由して接続される点灯用電源各相の集電面を備えた送電材で、前記保持誘導部又は外部構造物に固定される。前記集電材は、固定送電材の集電面から集電し照明器具に電気接続される部材で、器具装着部等のチェーン移送される部材に装着されている。
集電は器具装着部毎に固定送電材と行ってもよいが、集電材が多数になるので、器具装着部をグループ化した端子ボックス毎に集電材を設け、集電材の数を削減する。
また、固定送電材を共通とせず適宜分割すれば、分割された固定送電材単位の分割点灯制御、従って予め区分された区域毎の分割点灯制御が出来る。
本発明の設置・点検等における各作業の概要例を、固定式接続方式の送電線の第一送電経路を前提に、以下に記載する。
ａ）照明器具の設置
保持誘導部と移送装置を設置した後、保持誘導部に沿ってチェーンを仮設し、移送装置に装着する。次に、器具装着部を保持誘導部に順次に装着し、チェーンをチェーン装着部に架設しながら移送装置により移送する。全ての器具装着部の設置完了後、器具装着部を移送しながら送電線と照明器具等を順次に架設・装着・分岐接続配線を行う。最後に送電線と電源部とを接続する。チェーン仮設は、器具装着部を保持誘導部に適当な間隔で仮設装着後に行う方がよい。
保持誘導部・移送装置の設置、チェーン仮設、及び移送装置へのチェーン装着以外の作業は、同一の好ましい作業場所で行うことが出来る。
ｂ）照明器具の点検・清掃・交換・機種変更・設置数の増減・設置場所の変更
移送ルートがエンドレスルートの場合は、電源部と送電線との接続を取り外し、移送装置により全ての器具装着部を移送しながら好ましい作業場所で順次に照明器具の点検等の作業を行う。作業が終了し当初位置に復帰後に送電線を接続する。
オープンルートの場合は、電源部と送電線との接続を取り外すとともにチェーンに引き込み用チェーンを連結後に、移送装置で器具装着部等を保持誘導部から引き出しながら好ましい作業場所で順次に点検等の作業を行い、交換必要な照明器具等を取り外す。作業終了後、引き込み用チェーンと移送装置とで器具装着部等を保持誘導部に引き込みながら交換用照明器具等を装着し、当初位置に復帰後に送電線を接続する。新設時に引き込み用チェーンを連結しておいてもよい。
【０００６】
第二の発明は、
前記移送装置の駆動装置を分散して複数設置し同時駆動することにより、円滑なチェーン移送と、該移送装置、前記チェーン、及び前記保持誘導部の標準化によるコストダウンとを図ることを特徴とする第一の発明にかかる照明器具移送可能型照明装置である。
前記照明分野で使用される本発明の照明装置は、移送ルートが長距離となり屈曲部も多くなる。従って、前記駆動装置を一箇所のみ設ける場合は、円滑なチェーン移送が困難となり駆動装置の必要移送力が非常に大きくなる結果、チェーン・保持誘導部の必要強度も非常に大きくなる。また、照明装置毎に移送装置・チェーン・保持誘導部を新たに設計・選定する必要がある。                                              
本発明は、同一移送能力（移送速度・駆動力）の駆動装置を分散して複数設置し同時駆動してチェーンを保持誘導部と平行に移送することにより、チェーン各部分が極力平均化された所定の移送力で移送されるとともに保持誘導部には移送力による荷重が掛からない様にするものである。これにより、円滑なチェーン移送が出来るとともに、駆動装置の必要移送能力は分担する範囲に必要な能力とすればよくチェーンと保持誘導部の必要強度も削減されるので、標準化された移送装置・チェーン・保持誘導部を使用した設計が出来る。また、チェーンの累積寸法誤差も駆動装置の位置でキャンセルされる。
移送装置を分散して複数設置することにより、短距離の迂回用保持誘導部と迂回移送用チェーンを予め設定した箇所に設ければ、長距離移送ルートに対する非常時の分割移送による復旧作業も出来る。非常時に既設送電線と既設チェーンを設定箇所で分離し、分離された既設チェーンと迂回移送用チェーンとを連結して迂回用保持誘導部を含む移送ルートに変更すれば、全ての器具装着部をチェーン移送せずに対象ルートの器具装着部のみを移送することが出来るので、対象ルートを限定した復旧作業や、復旧作業時の対象ルート以外の照明が出来る。
【０００７】
第三の発明は、
回動アームと第一誘導部と第二誘導部とで構成されるチェーンガイド機構を備え；
第一誘導部は、回動アームの外周部に前記チェーンを円弧状に誘導する様に設けられ；
第二誘導部は、回動アームが回動中に第一誘導部と共同して前記チェーンを円弧状に誘導する様に前記外周部に取り付け角度をずらして設けられ；
回動アームは、静止位置では第一誘導部で前記チェーンを誘導し、移送される前記チェーン装着部と第一誘導部とが当接すれば第一誘導部と第二誘導部との両誘導部で該チェーンを誘導しながら回転し、回転により当接状態が解除されれば両誘導部で該チェーンを誘導しながら静止位置に復帰する動作を繰り返して；
前記チェーンを前記チェーン装着部の背面側に誘導することを特徴とする第一又は第二の発明のいずれかにかかる照明器具移送可能型照明装置である。
本発明の照明装置では、前記移送ルートを連続したルートとするために前記チェーンを前記チェーン装着部の背面側にも誘導する必要がある。この場合は、保持誘導部に移送力による荷重を掛けない様にアイドラー等のチェーン誘導部材を設けると、チェーン装着部とチェーン誘導部材が干渉する。本発明はこれを解決する方法で、以下にその構成と動作を説明する。
ａ）前記第一誘導部は、前記回動アームの外周部の一部に回動アームの回動中心を中心とした円弧状に設けられ、回動アームが静止位置にある時は単独で回動アームが回動中は第二誘導部と共同して、チェーンのローラを円弧状に誘導する。
ｂ）前記第二誘導部は、回動アームが静止位置にある時と回動中とはチェーン装着部と干渉させない様に、前記外周部に取り付け角度をずらして回動中心を中心とした円弧状に設けられ、回動アームが回動中は第一誘導部と共同してチェーンのローラを円弧状に誘導する。
ｃ）前記回動アームは、ねじりバネ等による回転力と位置設定ドグによりその静止位置を保持する。静止位置では前記第一誘導部のみで前記チェーンを誘導する。移送される前記チェーン装着部と第一誘導部とが当接すれば第一誘導部と前記第二誘導部との両誘導部でチェーンを誘導しながら移送方向に回転する。回転により当接状態が解除されれば両誘導部でチェーンのローラを誘導しながら静止位置に回転復帰する動作を繰り返す。
チェーン装着部に当接する第一誘導部の側端面には、回転ローラを装着した方がスムーズな移送となる。また、チェーンを極力円弧状に移送するため、第一誘導部と第二誘導部との間にチェーン装着部の背面に当接する様に回転ローラを装着した方が良い。
回動アームの回転力は、ねじりバネ以外に引っ張りコイルバネやガススプリングを使用して発生させることも出来る。また、回動アームの回動を、チェーン装着部を検出するセンサー、回動アームの静止位置を検出するセンサー、及びブレーキモーター等による回動・停止を行う電動方式とすることも出来る。
なお、チェーンガイド機構が設置されている個所の前記保持誘導部は、回動アームの回動中心を中心とした円弧状に設けられている。
【０００８】
第四の発明は、
前記チェーン装着部を、外リンクよりピンが突出しているピン突出チェーンの外リンク外幅のコ字状溝と該溝の内側面にピン突出部を装着する溝とを備えたピン突出チェーン装着部、又は、ホローピンチェーンの外幅のコ字状溝と該溝の側壁にホローピンに挿入するピンを装着する穴とを備えたホローピンチェーン装着部の何れかとすることにより、前記器具装着部をチェーンの任意の位置に着脱可能に装着することを特徴とする第一〜第三の発明のいずれかにかかる照明器具移送可能型照明装置である。
本発明の照明装置では、多数の器具装着部を照明設計で決定された位置に対応するチェーンの所定位置に装着する必要があり、位置出しを含めた装着作業は非常に煩雑で作業時間が掛かる。また、チェーンは長さの０．１５％の許容差があるので長距離移送ルートの場合は器具装着部の装着位置を現場調整する必要があり、これも同様に作業時間が掛かる。本発明は、チェーンの任意の位置に器具装着部を容易に着脱可能に装着することにより、これらの作業時間を削減する方法である。
本発明の構成は、以下の通りである。
ａ）前記チェーンは、ピン突出チェーン又はホローピンチェーンの何れかである。
前記ピン突出チェーンは、外リンク外側の両側にピン突出部を持つチェーンで、ピン突出チェーン装着部に連続して架設される。コ字状溝により両側より保持されるのでピン突出長は片側１ミリ以上あればよく、リベット形外リンクを持つ標準チェーンを使用することが出来るので安価となる。
前記ホローピンチェーンは、ホローピンを使用したチェーンで、ホローピンチェーン装着部に連続して架設される。
ｂ）前記器具装着部には、チェーンを着脱可能に装着するためのチェーン装着部として、ピン突出チェーン装着部又はホローピンチェーン装着部の何れかが設けられる。
前記ピン突出チェーン装着部には、ピン突出チェーンの外リンク外幅のコ字状溝と該溝の内側面にピン突出部を装着する溝を設ける。ピン突出部装着用溝の形状は、チェーン移送時にピン突出部が脱落せずにチェーン移送力を伝達し、静止状態でピン突出部が器具装着部の位置を設定可能な形状とする。通常、ピン突出部装着用溝はコ字状溝と直交する溝となるが、直交させるのではなく移送方向に対し数度の傾斜角度を設け、チェーン移送力によりピン突出チェーンがコ字状溝の底面側に押接される様にしてもよい。コ字状溝の深さとピン突出部装着溝の長さとは振動・衝撃等によりチェーンが容易に脱落しない寸法とする。
前記ホローピンチェーン装着部には、ホローピンチェーンの外幅のコ字状溝と該溝の側壁に該溝と直交しホローピンに挿入するピンを装着する穴とを備え、ホローピンチェーンをコ字状溝に装着後に該ピンを挿入する。該ピンは、すきまばめで装着し簡単に着脱可能とする。
ｃ）前記固定送電材と前記集電材とによる送電経路の器具装着部に対しては、移送ルートの一部に保持誘導部と平行に設けた昇降用保持誘導部に器具装着部を移動させる移動装置と該昇降用保持誘導部の昇降装置とで構成されるメンテナンス用昇降装置を設けることも出来る。この装置は、仮設作業台やタワー車等が不要となる利点があり、昇降装置を個別に設ける方式よりはトータルコストも削減されるが、送電方式が限定されるとともに移動・昇降時間が個別に必要となり作業時間が掛かる欠点がある。
【０００９】
第五の発明は、
前記チェーンの外リンクの外面に、前記移送ルートの基準位置からの位置関係を示す表示を設け、該チェーンに対する該基準位置からの位置確認作業を容易・確実にしたことを特徴とする第一〜第四の発明のいずれかにかかる照明器具移送可能型照明装置である。
本発明の照明装置では、チェーンを多数連結して使用したり多数の器具装着部をチェーンの所定位置に装着したりするので、位置設定や設置後の位置変更のための基準位置からの位置確認が困難となる。また、設置後の継ぎ手リンクの位置確認も困難となる。本発明は、これに対応するものでチェーンの外リンクの外面に前記移送ルートの基準位置からの位置関係を示すマーキングを行うものである。
ａ）基準位置からのリンクの番号又は距離を表示
基準位置とは、移送ルートの基準点となる位置に対応するチェーンの位置である。表示は、全ての外リンクに表示してもよいが規定の間隔で表示すればよい。また、表示方法は英数字等による記号表示だけでなく、カラー表示を行うことも出来る。
ｂ）器具装着部の装着位置を表示
器具装着部の装着位置を外リンクに直接表示する。単なる位置表示だけでなく、照明器具の種類・数の表示を前記同様に記号表示やカラー表示で行うことも出来る。
ｃ）継ぎ手リンクの装着位置を表示
多数のチェーンを連結して使用する場合、設置後の継ぎ手リンクの位置確認を容易にするため、継ぎ手リンク又は隣接するリンクを含む範囲のリンクに前記同様に記号表示やカラー表示を行う。
【００１０】
第六の発明は、
前記保持誘導部の開口部で保持誘導され器具装着部とともに移送される防塵用部材による防塵構造を備え、保持誘導面の塵埃・油煙の付着・堆積物による移送トラブルを防止することを特徴とする第一〜第五の発明のいずれかにかかる照明器具移送可能型照明装置である。
本発明の照明装置は、一年〜数年に一度のメンテナンス時に移送される以外は静止状態となる。保持誘導部の開口部は器具装着部以外のほとんどの部分が開放されており、塵埃・油煙等が侵入し難い断面構造を採用しても長期間における塵埃・油煙等の付着・堆積を防止することは出来ない。また、チェーン移送時に器具装着部等に付着・堆積物を除去する部材を装着しても完全除去は出来ない。従って、保持誘導面の付着・堆積物が一年〜数年に一度の点検・清掃時に大きな障害・故障発生の原因となる可能性がある。本発明は、保持誘導部の設置場所が塵埃・油煙等の多い雰囲気の場合に、付着・堆積そのものを極力防止することにより円滑な移送を図る方法である。防塵構造は以下の通りである。
防塵用部材は、保持誘導部の開口部で保持誘導される断面の摺動性の良い部材で、その両端を器具装着部に連結し、器具装着部とともに移送する。防塵用部材は、連続した可撓性部材でも相互に可動可能に連結したリンク構造の部材でもよい。
【発明の効果】
【００１１】
本発明による効果は、以下の通りである。
ａ）第一の発明により、照明器具の設置場所や設置高さのためメンテナンス困難で対象面積が広い高天井照明、広域照明、及び長大なトンネル照明等の照明装置において、以下の効果を持つＬＥＤ照明装置が得られる。
・量産された低ＷＬＥＤ電球等を装着した小型・軽量・安価なＬＥＤ照明器具を多数使用した照明効率が高く初期設備費が大幅削減された経済的なＬＥＤ照明が出来る。
・設置・点検等の作業時に好ましい場所で移動せずに容易に照明器具への作業が行えるため、作業コストが大幅に削減されるとともに、点検等の作業時には作業時間短縮による対象区域の使用制限時間も削減出来る。
・設置後の照明器具の機種・位置・照射角度の変更と照明器具の増減が、最小限のコストで簡単に行える。
・多様な分割点灯制御や個別点灯制御が可能となり、更なる省エネ照明や多様な照明が出来る。
・電源部と端末制御部との間で送受信される制御信号による制御が可能となり、多様な表示・警報が出来る。
ｂ）第二の発明により、
・チェーン移送が円滑になる。
・標準化された移送装置・チェーン・保持誘導部が使用出来るとともに外部構造物への取り付け必要強度も削減されることにより設計コストを含めたトータルコストが削減される。
・照明器具の設置位置の誤差も縮小する。
ｃ）第三の発明により、どのような器具配列であっても保持誘導部に移送力による荷重を掛けずに単一の連続した移送ルートで全ての照明器具を円滑に移送可能となり、複数の移送ルートと移送ルート毎の作業場所を設ける必要が無く、投資額が削減され作業時間も短縮される。
ｄ）第四の発明により、
・簡単に着脱可能な構造により器具装着部の着脱作業時間が短縮される。
・照明器具の配置に合わせたアタッチメントチェーン等の特注チェーンが不要となるため、照明設計の現場変更が容易でチェーン調達も容易で安価となる。
・長距離移送ルートの場合、チェーンの長さ許容差から発生する設置時の照明器具の現場位置調整が容易となる。
ｅ）第五の発明により、照明器具の初期設置や設置後の変更が、簡単・確実になる。
ｆ）第六の発明により、塵埃・油煙の多い環境でも保持誘導面に塵埃・油煙の付着・堆積が防止され、一年〜数年に一回の点検・清掃時でも確実に稼動し、円滑な移送が出来る。
【図面の簡単な説明】
【００１２】
【図１】第一の実施例（第一、第四、第五の発明）の説明図
【図２】第一の実施例の回動方式チェーン装着部の説明図
【図３】第二の実施例（第一、第四の発明）の説明図
【図４】第三の実施例（第二、第三の発明）の説明図
【図５】第三の実施例（第三の発明）の説明図
【図６】第四の実施例（第六の発明）の説明図
【発明を実施するための形態】
【実施例１】
【００１３】
複数の小型ＬＥＤ照明器具が照射角度を設定して装着された器具装着部にピン突出チェーンと送電線とを架設するとともに、ピン突出チェーンの外リンク表面に基準位置からのリンク番号を表示する第一、第四、及び第五の発明による照明器具移送可能型照明装置である（図１〜２参照）。
主要構成要素は、照明器部10、器具装着部20、移送用チェーン部30、チェーン移送装置70、保持誘導部40、送電線部50、及び、電源部である。各構成要素の構成と作用を記載した後にその設置方法を以下に記載する。
なお、説明を簡明にするため保持誘導部40が取り付けられる外部構造物については記載しない。また、移送ルートについては、一例を実施例３で記載する。
ａ）照明器具部10は、点灯電源一体型のＬＥＤ電球12を装着した回動可能型の電球用ソケット11である。電球用ソケット11は、器具装着部20のＬ形アルミフレーム24にナット装着用溝24ａを利用して必要数が装着される。
ｂ）器具装着部20は、ピン突出チェーン装着部21、スライダー22、Ｌ形アルミフレーム24、及び、数Ｍの間隔で器具装着部20に装着される脱落防止ピン23で構成する。
ピン突出チェーン装着部21は、ピン突出チェーン31の外リンク32外幅のコ字状溝21ａ、コ字状溝21ａの内側の両側面にコ字状溝21ａと直交するピン突出部装着溝21ｂ、送電線保護カバー52で保護された送電線51を装着する送電線装着溝21ｃ、及び脱落防止ピン孔21ｄを備え、Ｌ形アルミフレーム24にナット装着溝24ａを利用して装着される。ピン突出部装着溝21ｂはエンドミル加工されており、脱落防止ピン孔21ｄの位置は脱落防止ピン23が外リンク32で下端支持される位置とする。
ピン突出チェーン31の着脱はチェーンの伸びを利用しても出来るが、ピン突出チェーン装着部21を移動させてもよい。一例として、ピン突出チェーン装着部21を固定部25と回動部26とに分離し回動部26を器具装着部が移動可能な様に回動する構造を図２で示す。回動部26は、回動軸27で固定部25に装着されている。また、ピン突出部装着溝21ｂの代わりにピン突出部装着穴21ｇをコ字状溝21ａの内側の両側面に設ける。ピン突出チェーン31を取り外す時は、回動部26に設けた固定用押しネジ28を緩め回動部26を回動し、チェーン31を固定部25から持ち上げ、器具装着部20を移動させ、所定位置で回動部26を戻し固定用押しネジ28で固定する。脱落防止ピン23と脱落防止ピン孔21ｄは不要となる。
スライダー22は、ＭＣナイロン等の摺動性の良い部材で製作し、Ｌ形アルミフレーム24にナット装着溝24ａを使用して2個を平行に装着し、保持誘導用のアルミフレーム41の誘導溝41ｂを摺動する。スライダー22でなくローラ使用も出来るが、移送速度が小さく移送回数も少ないので保持誘導面が円滑なアルミフレームに対してはスライダー22で充分であり、スライダー22の方が保持面との接触面積を大きく取れるので長期間設置されても安定した保持が出来る。
脱落防止ピン23は、ピン突出チェーン31をコ字状溝21ａに装着後に、ピン突出部33がピン突出部装着溝21ｂから脱落しないように、ピン孔21ｄにすきまばめで挿入し容易に着脱可能とする。割ピン又はボールプランジャーを代用してもよい。移送時及び通常の設置状態では、脱落防止ピン23が無くともピン突出チェーン31がピン突出チェーン装着部21より脱落することはないが、地震等の振動・衝撃によりピン突出チェーン31が万一脱落することを防止するため、数Ｍの間隔で器具装着部20に装着する。
Ｌ形アルミフレーム24は、ナット装着溝24ａを持つ押し出し成形のアルミフレームで、送電線通過用の切り欠き24ｂを設け、長さは電球用ソケット11を必要数装着可能な長さとする。ナット装着用溝24ａにより、電球用ソケット11の装着数と装着位置を任意に可変とする。電球12の照射角度は、電球用ソケット11の装着時に調整する。
ｃ）移送用チェーン部30は、外リンク32をコ字状溝21ａに、ピン突出部33をピン装着溝21ｂに装着されるピン突出チェーン31で、標準形ローラチェーンを使用する。外リンク32の上側表面に原点位置からのリンク番号を１０個毎にレーザーマーキングする。
ｄ）チェーン移送装置70は、減速モーター等で駆動される駆動用スプロケット71、アイドラースプロケット72、チェーンテンショナー等で構成し、ピン突出チェーン31をアルミフレーム41と平行に移送する。
ｅ）保持誘導部40は、二本の保持誘導用のアルミフレーム41とアルミフレーム41を平行に保持し外部構造物に取り付けるためのベース42で構成する。
アルミフレーム41は、ナット装着溝41ａとスライダー22が摺動する支持誘導溝41ｂを備えたアルミ押し出し成形品である。ナット装着溝41ａにより、ベース42の装着数と装着位置とを任意に可変とする。
ベース42は、平行な装着面を持つ板金部品で、アルミフレーム41の平行保持に必要な間隔でアルミフレーム41に装着される。外部構造物には、孔42ａを使用して固定する。ベース42の外部構造物への固定間隔が大きくアルミフレーム41のクリープ変形が懸念される場合は、軽量Ｃ型チャンネル等で補強する。
ｆ）送電線部50は、三相三線式の送電線で、送電線51、送電線保護カバー52、及び送電線保持絶縁体53で構成する。
送電線51は、静止状態で電源部と固定接続され、各照明器具に端子ボックスを経由して分岐接続される。（分岐接続用配線は簡明化のため図示していない）
送電線保護カバー52は、送電線51の絶縁被覆磨耗防止のために装着されるスリット52ａの入ったゴム製カバーである。
送電線保持絶縁体53は、絶縁材製の中央で２分割された分割体で、中央には送電線貫通穴53ａを設け、送電線保護カバー52を介して送電線51に装着後にネジで共締めされる。従って、上部の送電線51は、チェーン装着部21の送電線装着溝21ｃで保持され、下部の二本の送電線51は、送電線保持絶縁体53を介して上部の送電線51で保持される。器具装着部の間隔が大きい場合は、前記ピン突出チェーンに装着した送電線保持絶縁体懸架用金具（図示されていない）に装着された送電線保持絶縁体53により送電線51を保持する。
ｇ）電源部（図示されていない）は、点灯用電源、及び電源制御部で構成する。停電時に点灯する場合は、非常用電源を備える。必要な場合は移送装置用電源を設ける。
ｈ）ホローピンチェーンを使用する場合は、ピン突出チェーン装着部を第二の発明に記載したホローピンチェーン装着部とする。
【実施例２】
【００１４】
実施例１における照明器具部10と保持誘導用のアルミフレーム41が各一個の第一及び第四の発明による実施例である。
各構成要素の構成と作用は以下の通りである。（図３参照）
ａ）照明器具部10、移送用チェーン部30、チェーン移送装置70、送電線50、及び、電源部は、実施例１と同様である。
ｂ）器具装着部20は、ピン突出チェーン装着部21を器具装着部とし、スライダー22と電球用ソケット11とを直接装着する。スライダー22はナット装着溝21ｅを利用して上部両側に装着する。また、送電線脱落防止板54を装着し、送電線51とピン突出チェーン31のピン33の下側突出部との脱落を防止する。ピン突出チェーンを取り外すときは、送電線脱落防止板54を回動して下側のピン突出部33をピン突出部装着溝21ｂから取り外す。コ字状溝21ａ、ピン突出部装着溝21ｂ、及び送電線装着溝21ｃは実施例１と同様で、脱落防止ピン23とＬ形アルミフレーム24は使用しない。電球用ソケット11を２個装着する時は反対側の取り付け面にも相互に干渉しないように装着する。また、照射方向を移送方向に変化させる場合は、図中の想像線で示す様に電球用ソケット11のピン突出チェーン装着部21への取り付け面を変更する。
ｃ）保持誘導部40は、アルミフレーム41が一本となる以外は実施例１と同様である。また、アルミフレーム41をナット装着溝41aが無く下面溝型のＣ型又は円形断面の軽量レールとし、レールを外側より把持して外部構造物に取り付けてもよい。
【実施例３】
【００１５】
本実施例は、複数の駆動装置を分散配置するとともにチェーンをチェーン装着部の背面側に誘導する複数のチェーンガイド機構を備えた第二及び第三の発明による実施例である。
本発明の照明装置は、前記照明分野での移送ルートには多数の屈曲部を必要とする。図４は広域照明の場合の移送ルートの一例の説明図である。図４において各屈曲部にはチェーン移送装置70の駆動用スプロケット71、アイドラースプロケット72、又は、前記チェーンガイド機構の円弧誘導部60が設けられている。また、移送ルートの一部に仮設作業場所が一箇所設けられている。駆動用スプロケット71とアイドラースプロケット72は、実施例１と同様である。
円弧誘導部60は、実施例１のピン突出チェーン31を、ピン突出チェーン装着部21の背面側に円弧状に誘導する。各構成要素の構成と作用は以下の通りである。（図５参照）
ａ）照明器具部10、器具装着部20、移送用チェーン部30、チェーン移送装置、保持誘導部40、送電線50、及び、電源部は、実施例１と同様である。
ｂ）円弧誘導部60は、回動アーム61、ローラ62、63、ねじりバネ64、回動軸65、静止位置設定用ドグ66及びローラ67で構成する。
回動アーム61は、本実施例では回動円板となり、ねじりバネ64、静止位置設定用ドグ66及びローラ67で設定される静止位置でピン突出チェーン31のローラ34を円弧状に誘導する第一誘導部61ａと、回動アーム61が回動中にローラ34を同様に円弧状に誘導する第二誘導部61ｂとを外周部に設ける。両誘導部の間にはピン突出チェーン装着部21との干渉を避けるための切り欠き部61ｃを設ける。
ローラ62は、第一誘導部61ａのピン突出チェーン装着部21と当接する部位に設ける。ローラ63はピン突出チェーン装着部21の背面21ｆを保持するように設ける。
ねじりバネ64は、静止位置設定用ドグ66をローラ67に押接する様に、一端を回動アーム61に他端を軸受け部に固定して回動アーム61の回動軸65に装着する。
ローラ67は、回動アーム61の静止位置を保持するために軸受け部に装着する。
ｃ）円弧誘導部60の動作は、以下の通りである。
第一誘導部61ａで円弧状に誘導されるピン突出チェーン31が装着されたピン突出チェーン装着部21が、移送されローラ62に当接する（図中Ａの位置）と、回動アーム61は当接状態が解除される位置迄（図中Ｄの位置）回転する。回転中、ピン突出チェーン31は第一誘導部61ａと第二誘導部61ｂとで円弧状に誘導される。ピン突出チェーン装着部21がローラ62から完全に離脱すると、回動アーム61はねじりバネ64により静止位置設定用ドグ66とローラ67とで設定される当初の静止角度位置に復帰する。
従って、この構造では器具装着部本体21の間隔は、回動アーム61の回動角度に対応した外周距離以上であることが必要である。また、回動アーム61が静止位置に復帰回転中は、切り欠き部61ｃに対応するピン突出チェーン31の部分は回動アーム61の中心側に一時わずか移動するので、保持誘導部40にはこれに対応する余裕を持たせる。ローラ63の回転軸を固定とせず、ローラ63がピン突出チェーン31のローラ34とも押接する様にバネ等による可動式としてもよい。
図中（Ｂ）の位置は、ピン突出チェーン31の回動アーム61への接線位置、図中（Ｃ）の位置は、ピン突出チェーン31が回動アーム61の第一誘導部61ａと第二誘導部61ｂとで誘導される状態を示す。
【実施例４】
【００１６】
実施例１における保持誘導用アルミフレーム41の開口部41ｃに防塵用部材43を装着する第六の発明による実施例である。（図６参照）
アルミフレーム41の開口部41ｃに防塵用部材43が装着される以外は、実施例１と同様である。防塵用部材43は、保持誘導部の41の開口部41ｃで保持誘導可能な断面の部材で連結ピン44で相互に連結し、スライダー22の防塵用部材装着部22ａ、22ｂに連結する。この防塵構造は完全な防塵構造ではないが、１〜数年に一度のチェーン移送時に支障が無い程度に塵埃・油煙の付着・堆積を防止出来る。
【符号の説明】
【００１７】
１０     照明器具部
１１     電球用ソケット
１２     ＬＥＤ電球
２０     器具装着部
２１     ピン突出チェーン装着部
２１ａ     ピン突出チェーン装着部のコ字状溝
２１ｂ     ピン突出チェーン装着部のピン突出部装着溝
２１ｃ     ピン突出チェーン装着部の送電線装着溝
２１ｄ     ピン突出チェーン装着部の脱落防止ピン穴
２１ｅ     ピン突出チェーン装着部のナット装着溝
２１ｆ     ピン突出チェーン装着部の背面
２１ｇ     ピン突出チェーン装着部のピン突出部装着穴
２２     スライダー
２２ａ     スライダーの防塵用部材装着部（凸）
２２ｂ     スライダーの防塵用部材装着部（凹）
２３     脱落防止ピン
２４     Ｌ形アルミフレーム
２４ａ     Ｌ形アルミフレームのナット装着溝
２４ｂ     Ｌ形アルミフレームの送電線通過用の切り欠き
２５     ピン突出チェーン装着部の固定部
２６     ピン突出チェーン装着部の回動部
２７     ピン突出チェーン装着部の回動軸
２８     ピン突出チェーン装着部の回動部固定用押しネジ
３０     移送用チェーン部
３１     ピン突出チェーン
３２     ピン突出チェーンの外リンク
３３     ピン突出チェーンのピン突出部
３４     移送用ピン突出チェーンのローラ
４０     保持誘導部  
４１     アルミフレーム
４１ａ     アルミフレームのナット装着溝
４１ｂ     アルミフレームの保持誘導溝
４１ｃ     アルミフレームの開口部
４２     ベース
４２ａ     ベースの取り付け用孔
４３      防塵用部材
４４      防塵用部材の連結ピン
５０    送電線部
５１    送電線
５２   
送電線保護カバー
５２ａ   
送電線保護カバーのスリット
５３    送電線保持絶縁体
５３ａ    送電線保持絶縁体の送電線貫通穴
５４    送電線脱落防止板
６０    円弧誘導部60
６１    回動アーム（回動円板）
６１ａ    回動アームの第一誘導部
６１ｂ    回動アームの第二誘導部
６１ｃ    回動アームの切り欠き部
６２    ローラ（当接部用）
６３    ローラ（背面保持用）
６４    ねじりバネ
６５    回動軸
６６    静止位置設定用ドグ
６７    静止位置設定用ローラ
７０    移送装置
７１    移送装置の駆動用スプロケット
７２    移送装置のアイドラースプロケット
８０    仮設作業場所
【図１】
2012252903.tif 000003
【図２】
2012252903.tif 000004
【図３】
2012252903.tif 000005
【図４】
2012252903.tif 000006
【図５】
2012252903.tif 000007
【図６】
2012252903.tif 000008